(57)【要約】【課題】互換性が高くなるとともに、重量のある載置物の落下防止機能が高くなるスチール棚の載置物落下防止装置を得る。【解決手段】張力に富んだ２本のベルト（１１，１２）と、各ベルト（１１，１２）の一端部同士を長さ調節可能に連結する連結具（１３）と、前記各ベルト（１１，１２）の他端部をスチール棚の支柱（２）、又は棚板（４）、天板（７）に着脱可能に係止する鉤形の係止具（１５，１６）とを設けてなるベルトユニット（１０）を設け、前記ベルトユニット（１０）をスチール棚の上下の棚板間の前後面の少なくとも前面側にて水平方向に延長配置し、該ベルトユニット（１０）の両端部の係止具（１５，１６）を前記スチール棚の両側の支柱（２）にそれぞれ着脱可能に係止し、該ベルトユニット（１０）の各ベルト（１１，１２）に張力を付与して連結具（１３）により互いに連結する。【選択図】図１
0003135901.tif 000002
【実用新案登録請求の範囲】
【請求項１】
張力に富んだ２本のベルト（１１，１２）と、各ベルト（１１，１２）の一端部同士を長さ調節可能に連結する連結具（１３）と、前記各ベルト（１１，１２）の他端部をスチール棚の支柱（２）、又は棚板（４）、天板（７）に着脱可能に係止する鉤形の係止具（１５，１６）とを設けてなるベルトユニット（１０）を設け、前記ベルトユニット（１０）をスチール棚の上下の棚板間の前後面の少なくとも前面側にて水平方向に延長配置し、該ベルトユニット（１０）の両端部の係止具（１５，１６）を前記スチール棚の両側の支柱（２）にそれぞれ着脱可能に係止し、該ベルトユニット（１０）の各ベルト（１１，１２）に張力を付与して連結具（１３）により互いに連結したことを特徴とするスチール棚の載置物落下防止装置。
【請求項２】
ベルトユニット（１０）をスチール棚の前後面の少なくとも前面側にて上下に延長配置し、該ベルトユニット（１０）の両端部の係止具（１５，１６）を前記スチール棚の天板（７）と最下段の底棚板（４）とにそれぞれ着脱可能に係止し、該ベルトユニット（１０）の各ベルト（１１，１２）に張力を付与して連結具（１３）により互いに連結したことを特徴とする請求項１記載のスチール棚の載置物落下防止装置。
【考案の詳細な説明】
【技術分野】
【０００１】
本考案は、棚板に載置した木型、金型等の載置物が、地震の揺れによって棚板から飛び出したり、落下したりするのを防止するスチール棚の載置物落下防止装置に関するものである。
【背景技術】
【０００２】
一般に、木型、金型等の型は、製作する製品の種類に対応して用意されており、活用されていない型は強度のあるスチール棚の棚板に載置して保管されている。この種のスチール棚は、型の出し入れが迅速に行なえるようにするために前面が開放されており、このため、地震等が発生すると、その揺れによって型が棚板から落下して破損したり、損傷したりすることになる。ところで、地震により載置物が棚板から落下するのを防止するために、従来では、棚の天井板にシートが巻かれた筒体を取り付け、該筒体から引き出したシートによって棚の前面を覆うとともに、該シートの両側に形成した係止孔を棚の前部側の支柱に設けた引き出しロックに係止するようにしたものがあった。
【０００３】
前記従来のものは、シートの幅を棚の幅に合わせるとともに、その両側に係止孔を形成したり、棚の前部側の支柱に前記係止孔が嵌合係止する引き出しロックを設けたりしていたため、互換性が乏しくなるとともに、張力が乏しく、重量のある載置物の落下防止機能が低下するものであった。
【特許文献１】特開平１０−３３７２３７号公報
【考案の開示】
【考案が解決しようとする課題】
【０００４】
本考案は、互換性が高くなるとともに、重量のある載置物の落下防止機能が高くなるスチール棚の載置物落下防止装置を得ることを目的とする。
【課題を解決するための手段】
【０００５】
本考案は、前記目的を達成するために以下の如く構成したものである。即ち、請求項１に係る考案は、張力に富んだ２本のベルトと、各ベルトの一端部同士を長さ調節可能に連結する連結具と、前記各ベルトの他端部をスチール棚の支柱、又は棚板、天板に着脱可能に係止する鉤形の係止具とを設けてなるベルトユニットを設け、前記ベルトユニットをスチール棚の上下の棚板間の前後面の少なくとも前面側にて水平方向に延長配置し、該ベルトユニットの両端部の係止具を前記スチール棚の両側の支柱にそれぞれ着脱可能に係止し、該ベルトユニットの各ベルトに張力を付与して連結具により互いに連結する構成にしたものである。
請求項２に係る考案は、前記ベルトユニットをスチール棚の前後面の少なくとも前面側にて上下に延長配置し、該ベルトユニットの両端部の係止具を前記スチール棚の天板と最下段の底棚板とにそれぞれ着脱可能に係止し、該ベルトユニットの各ベルトに張力を付与して連結具により互いに連結するようにしたものである。
【考案の効果】
【０００６】
請求項１に係る考案は、各ベルトの他端部に設ける係止具を鉤形とし、該係止具をスチール棚の支柱に係止するようにしたので、既設の支柱を改造することなく、該支柱に係止具を着脱可能に係止することができる。また、各ベルトの一端部同士を連結具により長さ調節可能に連結するようにしたので、左右の支柱の間隔が異なる棚にも容易に取り付けることができる。また、ベルトは張力に富むので、重量のある載置物の落下防止機能が高くなる。
請求項２に係る考案は、ベルトユニットを上下に延長配置して各係止具をスチール棚の天板と最下段の底棚板とに係止するようにしたので、棚板の幅方向中間部に載置された載置物の落下防止機能が高くなる。
【考案を実施するための最良の形態】
【０００７】
以下本考案の実施例を図面に基づいて説明する。図において、図１は本考案の実施例を示す斜視図、図２は図１の要部横断面図、図３は図１の要部縦断面図、図４は係止具の他の例を示す図２相当の要部縦断面図である。
【０００８】
図１において、１は鋼板材により形成されたスチール棚であり、左右一対の前部支柱２，２、及び左右一対の後部支柱３，３間に複数の棚板４〜６、本例では最下段の底棚板４、中棚板５，上棚板６が上下に所定の間隔をおいて配置され、上部に天板７が固定されている。前記前部支柱２，２、及び後部支柱３，３は図２に示すように、断面コ字形に屈曲され、前記各棚板４，５，６及び天板７は、左右に長い長方形状に形成されている。
【０００９】
前記各棚板４，５，６及び天板７は前後部の支柱２，３に固定されており、その周縁部に、下方に向けてコ字状に屈曲された補強用のフランジ部４ａ、５ａ、６ａ、７ａを有する。
【００１０】
前記スチール棚１の前面にベルトユニット１０を縦横に交差させて係止する。該ベルトユニット１０は、左右（水平）方向に延長させて係止する横ベルトユニット１０−１と、上下方向に延長させ係止する縦ベルトユニット１０−２とからなり、それぞれ、２本のベルト、つまり第１ベルト１１及び第２ベルト１２、連結具１３、係止具１５，１６（第１係止具１５ａ（１５ｂ）、第２係止具１６ａ（１６ｂ）により形成される。
【００１１】
前記第１、第２ベルト１１，１２は、幅約３５ｍｍの織布製の帯からなり、張力に富んだ軟質プラスチック繊維を編んで形成され、第１ベルト１１の長さは１８００ｍｍ〜２０００ｍｍとし、その一端部を前記連結具１３に摺動調節可能に嵌合係止させ、その他端に第１係止具１５を連結する。また、第２ベルト１２の長さは約５００ｍｍとし、その一端に連結具１３を、その他端に第２係止具１６を連結する。なお、前記第１ベルト１１及び第２ベルト１２の長さはスチール棚１の幅、高さ等によって適宜設定する。
【００１２】
前記連結具１３は、図２に示すように、長方形状の作動枠体１３ａと、中間部に中桟１３ｃを有する操作枠体１３ｂとを有し、第２ベルト１２の一端を前記作動枠体１３ａ及び操作枠体１３ｂの端部桟に共締め連結し、第１ベルト１１の一端部を前記作動枠体１３ａ側から前記操作枠体１３ｂの中桟１３ｃに挿通して反転屈曲させる。該第１ベルト１１の一端部には、面ファスナー１１ａが逢着され、該面ファスナー１１ａによって第１ベルト１１の折り返し端部が該第１ベルト１１に重なって係合するようになっている。
【００１３】
これにより、第１、第２ベルト１１，１２に張力が加わると、図２の実線で示すように、操作枠体１３ｂが作動枠体１３ａに重なって第１ベルト１１の一端部を締め付けてロックし、図２の仮想線で示すように、操作枠体１３ｂを作動枠体１３ａから離れる方向に回動させると、前記ロックが解除されて第１ベルト１１の一端部が操作枠体１３ｂの中桟１３ｃ上で緩み方向に摺動し、第１、第２ベルト１１，１２の張力を解除する。
【００１４】
ここで、前記横ベルトユニット１０−１の第１係止具１５ａ、第２係止具１６ａは、図２に示すように、前部側の左右の支柱２，２に外側から係止する鉤状に屈曲形成されている。また、前記縦ベルトユニット１０−２の第１係止具１５ｂは、図３に示すように、底棚板４のフランジ部４ａに外側から係止する鉤状に屈曲形成され、第２係止具１６ｂは、天板７のフランジ部７ａに外側から係止する鉤状に屈曲形成されている。
【００１５】
前記縦ベルトユニット１０−２の第１ベルト１１の長手方向中間部に中間係止具１７を摺動可能に嵌合させる。該中間係止具１７は、図３に示すように、中棚板５のフランジ部５ａ（又は上棚板６のフランジ部６ａ）に外側から係止するコ字形に屈曲形成され、上下の屈曲部に第１ベルト１１が上下に挿通する挿通孔１７ａ、１７ａを有する。
【００１６】
なお、前述した第１係止具１５（１５ａ，１５ｂ）、及び第２係止具１６（１６ａ，１６ｂ）は、図４に示すように、綱線材を鉤形に折り曲げて形成するようにしてもよい。
【００１７】
次に、前述した横ベルトユニット１０−１、及び縦ベルトユニット１０−２の使用例を図１により説明する。まず、２本の縦ベルトユニット１０−２を用意し、各縦ベルトユニット１０−２の第１ベルト１１に中間係止具１７を摺動可能に嵌合させ、これらををスチール棚１の前面側にて左右に所定の間隔をおいて配置する。そして、第１係止具１５ｂを底棚板４のフランジ部４ａに、中間係止具１７を中棚板５のフランジ部５ａ（又は上棚板６のフランジ部６ａ）にそれぞれ前面側から嵌合係止し、第２係止具１６ｂを天板７のフランジ部７ａに内面側から嵌合係止する。
【００１８】
次いで、第１ベルト１１の上端部（先端部）を連結具１３に下側から挿通して下方に反転屈曲させ、その折り返し部を下方に引っ張って第１、第２ベルト１１，１２に所定の張力を付与した後、該折り返し端部を面ファスナー１１ａを介して第１ベルト１１の上部に重ねて係合させる。なお、前記第１ベルト１１と第２ベルト１２とは，上下逆であってもよい。また、前記中間係止具１７は、上下中間部の各棚板（中棚板５、上棚板６）に対応する個数を第１ベルト１１に挿通し、これらを各棚板のフランジ部に嵌合係止するようにしてもよい。
【００１９】
次いで、３本の横ベルトユニット１０−１を用意し、各横ベルトユニット１０−１をスチール棚１の前面側にて底棚板４と中棚板５との中間部、中棚板５と上棚板６との中間部、及び上棚板６と天板７との中間部に配置するとともに、それぞれの第１係止具１５ａ、第２係止具１６ａを前部側の左右の支柱２，２に前面側から嵌合係止する。次いで、第１ベルト１１の左端部（先端部）を連結具１３に右側から挿通して右方に反転屈曲させ、その折り返し部を右方に引っ張って第１、第２ベルト１１，１２に所定の張力を付与した後、該折り返し部を面ファスナー１１ａを介して第１ベルト１１の右部に重ねて係合させる。なお、前記第１ベルト１１と第２ベルト１２とは，左右逆であってもよい。また、スチール棚１の後面側が開放されている場合は、前記横ベルトユニット１０−１、縦ベルトユニット１０−２をスチール棚１の後面側にも同様にして取り付ける。
【００２０】
これにより、前記スチール棚１の前面側に張力に富んだ横ベルトユニット１０−１及び縦ベルトユニット１０−２が縦横に張られ、地震等の発生でスチール棚１が揺れても、各棚板４〜６に載置した木型、金型等の載置物が落下しなくなる。また、各第１、第２ベルト１１，１２の他端部に設けた第１、第２係止具１５，１６を鉤形にしてスチール棚１の支柱２、底棚板６及び天板７のフランジ部４ａ，７ａ等に着脱可能に係止するとともに、各第１、第２ベルト１１，１２の一端部同士を連結具１３により長さ調節可能に連結するようにしたので、既設のスチール棚を改造する必要がなくなるとともに、幅及び高さの異なるスチール棚にも容易に取り付けることができる。なお、
【図面の簡単な説明】
【００２１】
【図１】本考案の実施例を示す斜視図である。
【図２】図１の要部横断面図である。
【図３】図１の要部縦断面図である。
【図４】係止具の他の例を示す図２相当の要部縦断面図である。
【符号の説明】
【００２２】
１    スチール棚
２    前部支柱
３    後部支柱
４    底棚板（棚板）
５    中棚板（棚板）
６    上端板（棚板）
７    天板
４ａ，７ａ    フランジ部
１０    ベルトユニット
１０−１    横ベルトユニット
１０−２    縦ベルトユニット
１１    第１ベルト（ベルト）
１２    第２ベルト（ベルト）
１３    連結具
１３ａ  作動枠体
１３ｂ  操作枠体
１３ｃ  中桟
１５（１６）    係止具
１５ａ，１５ｂ    第１係止具
１６ａ，１６ｂ    第２係止具
１７    中間係止具
１７ａ  ベルトの挿通孔
【図１】
0003135901.tif 000003
【図２】
0003135901.tif 000004
【図３】
0003135901.tif 000005
【図４】
0003135901.tif 000006